(57)【要約】      （修正有）【課題】マスカラ、アイライナー、液状口紅、リップグロス等の液状化粧料を収容する液状化粧料容器において、塗布体の抜出時に、容器本体の開口部に内装されるシゴキが、液状化粧料の接着固化により抜け出さないようにする。【解決手段】シゴキの回転抑止手段として、容器本体４の開口部内周面１１及び容器本体４の開口部６内に内装されるシゴキ７の中胴部外周面１２において刻設するローレット６ｂ、８ｄが互いに噛合して一体となっている。【選択図】図３
2018033555.tif 000002
【特許請求の範囲】
【請求項１】
キャップと容器本体から構成され、
該キャップは、先端方向内周面に雌ネジ部を螺設するとともに、軸部先端に塗布部を具える塗布体を有し、
該容器本体は、その内部に液状化粧料を収容し、一体に形成され、外周面に前記キャップの雌ネジ部と螺合する雄ネジ部を螺設する開口部内にシゴキを内装し、
該シゴキは、略円筒状の中胴部の一方に容器本体の開口部の開口端に係止するフランジ部を形成し、他方に中央に有するシゴキ穴に向かって逆円錐形状又はすり鉢形状である薄肉状の漏斗部を形成し、該キャップの内底部とシゴキのフランジ部とは閉栓時に密着自在となるものであって、
該容器本体の開口部内周面とシゴキの中胴部外周面との間で、互いに噛合してシゴキの周面方向への回転を抑止する回転抑止手段を設けてなる
ことを特徴とする液状化粧料容器。
【請求項２】
上記容器本体の開口部内周面とシゴキの中胴部外周面との間で設けられるシゴキの回転抑止手段を、容器本体の開口部内周面及びシゴキの中胴部外周面において、互いに噛合する縦方向に刻設されたローレットとする
ことを特徴とする請求項１記載の液状化粧料容器。
【請求項３】
上記容器本体の開口部内周面とシゴキの中胴部外周面との間で設けられるシゴキの回転抑止手段を、容器本体の開口部内周面及びシゴキの中胴部外周面を互いに合致する正多角形状面とする
ことを特徴とする請求項１記載の液状化粧料容器。
【請求項４】
上記容器本体の開口部内周面とシゴキの中胴部外周面との間で設けられるシゴキの回転抑止手段を、容器本体の開口部内周面又はシゴキの中胴部外周面のうちいずれか一方に、縦方向の突設された突条縁を、他方に該突条縁と対応して噛合するように凹設された凹条溝としてなる
ことを特徴とする請求項１記載の液状化粧料容器。
【発明の詳細な説明】
【技術分野】
【０００１】
本願発明は、マスカラ、アイライナー、液状口紅、リップグロス等の液状化粧料（以下、「液状化粧料」という。）を収容する液状化粧料容器に関する。
【背景技術】
【０００２】
通常、液状化粧料容器は、液状化粧料を収容する容器本体と、先端に塗布部を具える軸部の後端に形成する径大部を有する塗布体を該径大部を嵌合させて固持するキャップとから構成されている。
そして、該容器本体の開口部内には、塗布体の軸部及び塗布部の表面に付着した余分な液状化粧料を掻き落とし、しかも閉栓時の液状化粧料容器内の気密性を保持するためのシゴキを内装している。
【０００３】
ここで、上記液状化粧料容器のシゴキは、軟質樹脂、エラストマー等からなり、容器本体の開口部の開口端に係止されるフランジ部を一方に形成する円筒状の中胴部と、該中胴部の他方において塗布体の軸部や塗布部に密着して余分に付着した液状化粧料を掻き落とせるように、薄肉状であって、中央に有するシゴキ穴に向かってすり鉢形状にしてなる漏斗部とから構成するものである（特許文献１参照）。
【０００４】
ところで、近年、特にマスカラでは、睫毛への密着性、カール効果、及び化粧持ちを向上させるために、マスカラの成分中に接着力の強い樹脂性原料を多く含むものが増えてきた。
そのため、使用後に塗布体を容器本体内に収納する際に、容器本体の開口部に内装されるシゴキのフランジ部に前記接着力の強い樹脂性原料を多く含むマスカラが付着すると、閉栓時において容器本体の開口部の開口端に係止されるシゴキのフランジ部とキャップの内底部とが液状化粧料容器内の気密性を保持するため密着するので、シゴキのフランジ部とキャップの内底部とが接着固化するおそれがある。
その結果、次回使用時に塗布体を容器本体から抜出するためにキャップの螺合を解こうとすると、シゴキには回転力と同時に、上方への引張力が加わり、キャップとともにシゴキが容器本体の開口部内より抜けてしまうことがある。
【０００５】
そこで、容器本体の開口部からシゴキを抜けにくくするために、容器本体の開口部とシゴキの中胴部との嵌合をきつくすることも考えられるが、互いに嵌合する容器本体の開口部又はシゴキの中胴部に対して過度のストレスが加わり、該容器本体の開口部又はシゴキの中胴部のいずれか、或いは両方にクラックや割れ等が生じ易くなって、容器本体及びシゴキのいずれにおいても厳密な部品の寸法管理が必要となる反面、容器本体の開口部とシゴキの中胴部との嵌合をきつくするにも限度があって、十分にシゴキの抜けを防ぐことができないものである。
【先行技術文献】
【特許文献】
【０００６】
【特許文献１】特表２０１４−５１０６０４号公報
【発明の概要】
【発明が解決しようとする課題】
【０００７】
そこで、液状化粧料容器において、塗布体の抜出時に容器本体の開口部に内装されるシゴキが、液状化粧料の接着固化により抜けないようにするものである。
【課題を解決するための手段】
【０００８】
第１の特徴として、
キャップと容器本体から構成され、
該キャップは、先端方向内周面に雌ネジ部を螺設するとともに、軸部先端に塗布部を具える塗布体を有し、
該容器本体は、その内部に液状化粧料を収容し、一体に形成され、外周面に前記キャップの雌ネジ部と螺合する雄ネジ部を螺設する開口部内にシゴキを内装し、
該シゴキは、略円筒状の中胴部の一方に容器本体の開口部の開口端に係止するフランジ部を形成し、他方に中央に有するシゴキ穴に向かって逆円錐形状又はすり鉢形状である薄肉状の漏斗部を形成し、該キャップの内底部とシゴキのフランジ部とは閉栓時に密着可能となるものであって、
該容器本体の開口部内周面とシゴキの中胴部外周面との間で、互いに噛合してシゴキの周面方向への回転を抑止する回転抑止手段を設けてなるものである。
【０００９】
そのため、使用時に容器本体とキャップとの螺合を解くと、前回使用後に容器本体の開口部内に装着されるシゴキのフランジ部とキャップの内底部との間に液状化粧料が付着して接着固化していると、該シゴキはキャップと一体となって開口部内周面方向に空転しながら引き上げられ、容器本体の開口部から抜けてしまうものとなる。
しかしながら、容器本体の開口部内周面とシゴキ外周面との間に設けられる回転抑止手段において互いに噛合しているので、容器本体の開口部に対するシゴキは空転することなく、シゴキと容器本体の開口部とは強固に一体になっているものである。
その結果、キャップを回転させて容器本体とキャップとの螺合を解くと、容器本体の開口部と一体となったシゴキのフランジ部とキャップの内底部との間で接着固化している液状化粧料をキャップの回転が直接作用して剪断するので、シゴキのフランジ部とキャップの内底部とは分離し、シゴキを容器本体の開口部内に留まらせながら、塗布体を抜出することができるものである。
【００１０】
第１の特徴を踏まえて、第２の特徴として、
上記容器本体の開口部内周面とシゴキの中胴部外周面との間で設けられるシゴキの回転抑止手段を、容器本体の開口部内周面及びシゴキの中胴部外周面において、互いに噛合する縦方向に刻設されたローレットとするものである。
【００１１】
そのため、使用時に容器本体とキャップとの螺合を解くと、両者のローレットが互いに噛合しているので、容器本体の開口部に対してシゴキは空転することがなく、シゴキと容器本体の開口部とは強固に一体になっているものである。
その結果、キャップを回転させて容器本体とキャップとの螺合を解くと、容器本体の開口部と一体となったシゴキとキャップの内底部との間で接着固化している液状化粧料に対してキャップの回転が直接作用して剪断するので、シゴキのフランジ部とキャップの内底部とは分離し、シゴキを容器本体の開口部内に留まらせながら、塗布体を抜出することができるものである。
【００１２】
第１の特徴を踏まえて、第３の特徴として、
上記容器本体の開口部内周面とシゴキの中胴部外周面との間で設けられるシゴキの回転抑止手段を、容器本体の開口部内周面及びシゴキの中胴部外周面を互いに合致する正多角形状面とするものである。
【００１３】
そのため、使用時に容器本体とキャップとの螺合を解くと、容器本体の開口部内周面とシゴキの中胴部外周面とを互いに合致する正多角形状面としているので、容器本体の開口部に対してシゴキは空転することはなく、シゴキと容器本体の開口部とは強固に一体になっているものである。
その結果、キャップを回転させて容器本体とキャップとの螺合を解くと、容器本体の開口部と一体となったシゴキとキャップの内底部との間で接着固化している液状化粧料に対してキャップの回転が直接作用して剪断するので、シゴキのフランジ部とキャップの内底部とは分離し、シゴキを容器本体の開口部内に留まらせながら、塗布体を抜出することができるものである。
【００１４】
第１の特徴を踏まえて、第４の特徴として、
上記容器本体の開口部内周面とシゴキの中胴部外周面との間で設けられるシゴキの回転抑止手段を、容器本体の開口部内周面又はシゴキの中胴部外周面のうちいずれか一方に、縦方向の突設された突条縁を、他方に該突条縁と対応して噛合するように凹設された凹条溝としてなるものである。
【００１５】
そのため、一体となっている容器本体の開口部又はシゴキの中胴部において互いに対応して噛合する凹条溝と突条縁とでは、該突条縁の横断面積が大きいので両者の一体性は非常に高くなるものである。
その結果、シゴキとキャップ内の内底部とが接着固化した液状化粧料によって一体化していても、容器本体とキャップとの螺合を解く際にキャップを強く回転させることによって、開口部の内周面に対してシゴキは空転することなく簡易且つ確実に接着固化している液状化粧料を剪断するので、シゴキとキャップの内底部とは分離し、シゴキを容器本体の開口部内に留まらせながら、塗布体を抜出することができるものである。
【００１６】
なお、容器本体の開口部内周面とシゴキの中胴部外周面との間で設けられるシゴキの回転抑止手段を、上記容器本体の開口部内周面及びシゴキの中胴部外周面において、互いに噛合する縦方向に刻設されたローレット、開口部内周面とシゴキ外周面とを互いに合致する正多角形状とすること、又は容器本体の開口部内周面又はシゴキ外周面のうちいずれか一方に、縦方向の突設された突条縁を、他方に該突条縁と対応して噛合する凹設された凹条溝を一体に形成することで、製造部品の管理が容易となり、また液状化粧料容器の製造工程が容易になるので、該液状化粧料容器の製造コストの低減を図ることもできるものである。
【発明の効果】
【００１７】
本願発明は、閉栓時にキャップ内の内底部と容器本体の開口部内のシゴキのフランジ部とが液状化粧料によって接着固化していても、次回使用時のキャップの回転時において容器本体の開口部内周面及びシゴキ外周面に設けられたシゴキの周面方向への回転を抑止する回転抑止手段によって開口部に対してシゴキは空転することがなく、接着固化した液状化粧料を剪断するので、製造コストの低減を図りつつ、容器本体の開口部内にシゴキを確実に留めて、塗布体を抜出することができる優れた効果を有するものである。
【図面の簡単な説明】
【００１８】
【図１】図１は、本願発明の実施例である液状化粧料容器の全体縦断面図である。
【図２】図２は、本願発明の実施例である液状化粧料容器の容器本体の全体縦断面図である。
【図３】図３（イ）は、本願発明の実施例１である液状化粧料容器におけるシゴキのＡ−Ａ断面図と一部縦断面図、同図（ロ）は、本願発明の実施例１である液状化粧料容器における容器本体の開口部のＢ−Ｂ断面図と一部縦断面図、さらに同図（ハ）は、容器本体内にシゴキを内装した場合のＣ−Ｃ断面図と一部縦断面図である。
【図４】図４（イ）は、本願発明の実施例２である液状化粧料容器におけるシゴキのＡ’−Ａ’断面図と一部縦断面図、同図（ロ）は、本願発明の実施例２である液状化粧料容器における容器本体の開口部のＢ’−Ｂ’断面図と一部縦断面図、さらに同図（ハ）は、容器本体内にシゴキを内装した場合のＣ’−Ｃ’断面図と一部縦断面図である。
【図５】図５（イ）は、本願発明の実施例３である液状化粧料容器におけるシゴキのＡ”−Ａ”断面図と一部縦断面図、同図（ロ）は、本願発明の実施例３である液状化粧料容器における容器本体の開口部のＢ”−Ｂ”断面図と一部縦断面図、さらに同図（ハ）は、容器本体内にシゴキを内装した場合のＣ”−Ｃ”断面図と一部縦断面図である。
【図６】図６（イ）は、本願発明の実施例４である液状化粧料容器におけるシゴキのＡ”’−Ａ”’断面図と一部縦断面図、同図（ロ）は、本願発明の実施例４である液状化粧料容器における容器本体の開口部のＢ”’−Ｂ”’断面図と一部縦断面図、さらに同図（ハ）は、容器本体内にシゴキを内装した場合のＣ”’−Ｃ”’断面図と一部縦断面図である。
【発明を実施するための形態】
【００１９】
容器本体の開口部内周面と、その内部に内装されるシゴキ外周面との間で、周面方向への回転により互いに噛合して一体となるシゴキの空転を抑止する回転抑止手段を有するものである。
【実施例１】
【００２０】
図１乃至図３において示すのは、本願発明の実施例１であるシゴキ７を内装する液状化粧料容器１であり、該液状化粧料容器１は、キャップ２と容器本体４とから構成されるものである。
【００２１】
まず、該キャップ２は、先端方向内周面に雌ネジ部２ａを螺設するとともに、先端に塗布部３ａを具える軸部３ｂの後端に径大部３ｃを形成する塗布体３を、該径大部３ｃを嵌合させて一体に固持するものである。
ここで、このキャップ２内において固持される塗布体３の径大部３ｃは、キャップ２の閉栓時に後述するシゴキ７のフランジ部８ａと密着して液状化粧料容器１内の気密性を維持するものであり、すなわちキャップ２の内底部となるものである（以下、実施例１乃至３において同じ。）。
【００２２】
そして、該容器本体４は、その内部に液状化粧料５を収容し、一体に形成され、外周面に前記キャップ２の雌ネジ部２ａと螺合する雄ネジ部６ａを螺設する開口部６内にシゴキ７を内装するものである。
【００２３】
さらに、該シゴキ７は、略円筒状の中胴部８の一方に容器本体４の開口部６の開口端に係止するフランジ部８ａを形成し、他方に中央に有するシゴキ穴８ｃに向かってすり鉢形状である薄肉状の漏斗部８ｂを形成するものである。
【００２４】
その上で、本願発明の実施例１であるシゴキ７を内装する容器本体４の開口部内周面１１とシゴキ外周面１２の間では、互いに噛合してシゴキ７の開口部内周面１１方向への回転を抑止する回転抑止手段であるローレット６ｂ、８ｄが縦方向へ刻設されているものである。
【００２５】
そこで、液状化粧料容器１、特に容器本体４の開口部６と該開口部６に内装されるシゴキ７とは以上のように構成されるので、容器本体４の開口部６から塗布体３を抜出する際には次のようになるものである。
即ち、容器本体４の開口部６から塗布体３を抜出するために容器本体４とキャップ２との螺合を解くと、キャップ２は回転しながら上方へ引き上げられるものである。
このとき、前回使用後に容器本体４の開口部６内に装着されるシゴキ７のフランジ部８ａとキャップ２内に嵌合されている塗布体３の径大部３ｃ、特に径大部３ｃの肩部との間に液状化粧料５が付着し接着固化してしまうと、該シゴキ７は回転するキャップ２と一体となって容器本体４の開口部内周面１１に対して周面方向に空転しようとするが、容器本体４の開口部内周面１１とシゴキ７の中胴部外周面１２との間において、両者に縦方向に刻設されるローレット６ｂ、８ｄが互いに噛合しているので、容器本体４の開口部６に対するシゴキ７は空転することがなく、シゴキ７と容器本体４の開口部６とは一体になっているものである。
そこで、キャップ２を回転させて容器本体４とキャップ２との螺合を解くと、容器本体４の開口部６と一体となったシゴキ７のフランジ部８ａとキャップ２内に固持された塗布体３の径大部３ｃとの間で接着固化している液状化粧料５にキャップ２の回転が直接作用して剪断するので、シゴキ７とキャップ２内に固持された塗布体３の径大部３ｃとを分離させ、上記シゴキ７を容器本体４の開口部６内に留まらせることができるものとなる。
従って、容器本体４の開口部６より抜出する塗布体３は、容器本体４の開口部６内に留まったシゴキ７によりその軸部３ｂ及び塗布部３ａに付着する余分な液状化粧料５を適切に扱かれるものとなる。
【実施例２】
【００２６】
図４において示すのは、本願発明の実施例２であるシゴキ７’であり、該シゴキ７’は実施例１と同様の液状化粧料容器（図示せず、以下本実施例で同じ。）の容器本体４’の開口部６’に内装されるものである。
【００２７】
そして、本願発明の実施例２であるシゴキ７’は、容器本体４’の開口部６’内に内装されるとともに、略円筒状の中胴部８’の一方に容器本体４’の開口部６’の開口端に係止するフランジ部８ａ’を形成し、他方に中央に有するシゴキ穴８ｃ’に向かってすり鉢形状である薄肉状の漏斗部８ｂ’を形成するものである点で本願発明の実施例１のシゴキ７と共通するものの、本願発明の実施例２であるシゴキ７’は、上記容器本体４’の開口部内周面１１’とシゴキ７’の中胴部外周面１２’との間で設けられるシゴキ７’の回転抑止手段を、シゴキ７’の中胴部外周面１２’に縦方向の突条縁９を突設し、該突条縁９と対応して噛合するように開口部内周面１１’に凹条溝１０を凹設してなるものである点で本願発明の実施例１のシゴキ７’と相違するものである。
【００２８】
本願発明の実施例２であるシゴキ７’を内装する液状化粧料容器、特に容器本体４’の開口部６’と該開口部６’に内装されるシゴキ７’とは以上のように構成されるので、容器本体４’の開口部６’から塗布体（図示せず、以下本実施例で同じ。）を抜出する際には次のようになるものである。
即ち、容器本体４’の開口部６’から塗布体を抜出するために容器本体４’とキャップ（図示せず、以下本実施例で同じ。）との螺合を解くと、キャップは回転しながら上方へ引き上げられるものである。
このとき、前回使用後に容器本体４’の開口部６’内に装着されるシゴキ７’のフランジ部８ａ’とキャップ内に嵌合されている塗布体の径大部（図示せず、以下本実施例で同じ。）との間に液状化粧料（図示せず、以下本実施例で同じ。）が付着し接着固化してしまうと、該シゴキ７’は回転するキャップと一体となって容器本体４’の開口部内周面１１’に対して周面方向に空転しようとするが、容器本体４’の開口部内周面１１’とシゴキ外周面１２’との間において、シゴキ７’の中胴部外周面１２’に突設される突条縁９と、該突条縁９と対応する開口部内周面１１’に凹設される凹条溝１０とが互いに噛合しているので、容器本体４’の開口部６’に対するシゴキ７’の空転は確実に抑止されており、シゴキ７’と容器本体４’の開口部６’とは一体になるものである。
そこで、キャップを回転させて容器本体４’とキャップとの螺合を解くと、キャップの回転が容器本体４’の開口部６’と一体となったシゴキ７’のフランジ部８ａ’とキャップ内に固持された塗布体の径大部との間で接着固化している液状化粧料に直接作用して剪断するので、シゴキ７’とキャップ内に固持された塗布体の径大部とを分離させ、上記シゴキ７’を容器本体４’の開口部６’内に留まらせることができるものとなる。
従って、容器本体４’の開口部６’より抜出する塗布体は、容器本体４’の開口部６’内に留まったシゴキ７’によりその軸部（図示せず、以下本実施例で同じ。）及び塗布部（図示せず、以下本実施例で同じ。）に付着する余分な液状化粧料を適切に扱かれるものとなる。
【００２９】
そして、一体となっている容器本体４’の開口部６’又はシゴキ７’の中胴部８’において互いに対応して噛合する凹条溝９と突条縁１０とは、該突条縁９の横断面積が大きいので両者の一体性は非常に高くなるものである。
その結果、キャップを回転させて容器本体４’とキャップとの螺合を解く際には、キャップを強く回転させてシゴキ７’とキャップ内に固持された塗布体の径大部との間で接着固化した液状化粧料に対してその強い回転力を直接作用させて剪断して、一体となった塗布体に径大部とシゴキ７’とを簡易且つ確実に分離させることができるものである。
【実施例３】
【００３０】
図５において示すのは、本願発明の実施例３であるシゴキ７”であり、該シゴキ７”は実施例１及び実施例２と同様の液状化粧料容器（図示せず、以下本実施例で同じ。）の容器本体４”の開口部６”に内装されるものである。
【００３１】
そして、本願発明の実施例３であるシゴキ７”は、容器本体４”の開口部６”内に内装されるとともに、略円筒状の中胴部８”の一方に容器本体４”の開口部６”の開口端に係止するフランジ部８ａ”を形成し、他方に中央に有するシゴキ穴８ｃ”に向かってすり鉢形状である薄肉状の漏斗部８ｂ”を形成するものである点で本願発明の実施例１のシゴキ７と共通するものの、本願発明の実施例３であるシゴキ７”は、上記容器本体４”の開口部内周面１１”とシゴキ外周面１２”との間で設けられるシゴキ７”の回転抑止手段を、容器本体４”の開口部内周面１１”及びシゴキ外周面１２”が互いに合致する正１２角形状面１１ａ”、１２ａ”とするものである点で、本願発明の実施例１のシゴキ７と相違するものである。
【００３２】
本願発明の実施例３であるシゴキ７”を内装する液状化粧料容器１、特に容器本体４”の開口部６”と該開口部６”に内装されるシゴキ７”とは以上のように構成されるので、容器本体４”の開口部６”から塗布体（図示せず、以下本実施例で同じ。）を抜出する際には次のようになるものである。
即ち、容器本体４”の開口部６”から塗布体を抜出するために容器本体４”とキャップ（図示せず、以下本実施例で同じ。）との螺合を解くと、キャップは回転しながら上方へ引き上げられるものである。
このとき、前回使用後に容器本体４”の開口部６”内に装着されるシゴキ７”のフランジ部８ａ”とキャップ内に嵌合されている塗布体の径大部（図示せず、以下本実施例で同じ。）との間に液状化粧料（図示せず、以下本実施例で同じ。）が付着し接着固化してしまうと、該シゴキ７”は回転するキャップと一体となって容器本体４”の開口部内周面１１”に対して周面方向に空転しようとするが、容器本体４”の開口部内周面１１”とシゴキ７”の中胴部外周面１２”とが互いに合致する正１２角形状面１１ａ”、１２ａ”であるので、使用時に容器本体とキャップとの螺合を解くと、容器本体の開口部に対してシゴキは空転することがなく、シゴキと容器本体の開口部とは強固に一体になっているものである。
その結果、キャップを回転させて容器本体とキャップとの螺合を解くと、容器本体の開口部と一体となったシゴキとキャップ内に固持される径大部との間で接着固化している液状化粧料に対してキャップの回転が直接作用して剪断するので、シゴキのフランジ部とキャップの内底部とは分離し、シゴキを容器本体の開口部内に留まらせながら、塗布体を抜出することができるものである。
従って、容器本体４”の開口部６”より抜出する塗布体は、容器本体４”の開口部６”内に留まったシゴキ７”によりその軸部（図示せず、以下本実施例で同じ。）及び塗布部（図示せず、以下本実施例で同じ。）に付着する余分な液状化粧料を適切に扱かれるものとなる。
【００３３】
そして、一体となっている容器本体４”の開口部６”又はシゴキ７”の中胴部８”において容器本体４”の開口部内周面１１”と中胴部外周面１２”とを互いに合致する正１２角形状面１１ａ”、１２ａ”とするので、容器本体４”の開口部６”に対してシゴキ７”は空転することがなく、しかもシゴキ７”と容器本体４”の開口部６”とは開口部内周面１１”及び中胴部外周面１２”全周面に渡って合致して両者の一体性は非常に高くなるものである。
その結果、キャップを回転させて容器本体４”とキャップとの螺合を解く際には、キャップを強く回転させてシゴキ７”とキャップ内に固持された塗布体の径大部との間で接着固化した液状化粧料に対してその強い回転力を直接作用させて剪断するので、一体となった塗布体の径大部とシゴキ７”とを簡易且つ確実に分離させることができるものである。
【実施例４】
【００３４】
図６において示すのは、本願発明の実施例４であるシゴキ７”’であり、該シゴキ７”’は実施例１及び実施例２と同様の液状化粧料容器（図示せず、以下本実施例で同じ。）の容器本体４”’の開口部６”’に内装されるものである。
【００３５】
そして、本願発明の実施例４であるシゴキ７”’は、容器本体４”’の開口部６”’内に内装されるとともに、略円筒状の中胴部８”’の一方に容器本体４”’の開口部６”’の開口端に係止するフランジ部８ａ”’を形成し、他方に中央に有するシゴキ穴８ｃ”’に向かってすり鉢形状の変形可能である薄肉状の漏斗部８ｂ”’を形成し、さらにシゴキ７”’を内装する容器本体４”’の開口部内周面１１”’と中胴部外周面１２”’の間では、互いに噛合してシゴキ７”’の周面方向への回転を抑止する回転抑止手段であるローレット６ｂ”’、８ｄ”’が縦方向へ刻設されている点で、本願発明の実施例１のシゴキ７と共通するものの、シゴキ７”’をなす中胴部８”’と該中胴部８”’と一体になる漏斗部８ｂ”’とが別体である点で、実施例１のシゴキ７とは相違するものである。
ここで、該略円筒状の中胴部８”’は一方に容器本体４”’の開口部６”’の開口端に係止するフランジ部８ａ”’を形成し、他方の外周面１２”’において別体の漏斗部８ｂ”’を係止する係止溝１３を周設し、該漏斗部８ｂ”’は一方に前記中胴部８”’の係止溝１３に係止される係止縁１４を形成し、他方に中央に有するシゴキ穴８ｃ”’に向かってすり鉢形状となって変形可能となるように薄肉状としてなるものである。
そのため、中胴部８”’と漏斗部８ｂ”’とは、シゴキ７”’の中胴部外周面１２”’に周設された係止溝１３に対して、漏斗部８ｂ”’の係止縁１４を係合させることで一体とし、本願発明の実施例４であるシゴキ７”’とするものである。
【００３６】
本願発明の実施例４であるシゴキ７”’を内装する液状化粧料容器、特に容器本体４”’の開口部６”’と該開口部６”’に内装されるシゴキ７”’とは以上のように構成されるので、容器本体４”’の開口部６”’から塗布体（図示せず、以下本実施例で同じ。）を抜出する際には次のようになるものである。
即ち、容器本体４”’の開口部６”’から塗布体を抜出するために容器本体４”’とキャップとの螺合を解くと、キャップはえｄ
回転しながら上方へ引き上げられるものである。
このとき、前回使用後に容器本体４”’の開口部６”’内に装着されるシゴキ７”’のフランジ部８ａ”’とキャップ内に嵌合されている塗布体の径大部（図示せず、以下本実施例で同じ。）との間に液状化粧料（図示せず、以下本実施例で同じ。）が付着し接着固化してしまうと、該シゴキ７”’は回転するキャップと一体となって容器本体４”’の開口部内周面１１”’に対して周面方向に空転しようとするが、容器本体４”’の開口部内周面１１”’と中胴部外周面１２”’との間において、両者に縦方向に刻設されるローレット６ｂ”’、８ｄ”’が互いに噛合しているので、容器本体４”’の開口部６”’に対するシゴキ７”’は空転することがなく、シゴキ７”’と容器本体４”’の開口部６”’とは一体になっているものである。
そこで、キャップを回転させて容器本体４”’とキャップとの螺合を解くと、容器本体４”’の開口部６”’と一体となったシゴキ７”’のフランジ部８ａ”’とキャップ内に固持された塗布体の径大部との間で接着固化している液状化粧料にキャップの回転が直接作用して剪断するので、シゴキ７”’とキャップ内に固持された塗布体の径大部とを分離させ、上記シゴキ７”’を容器本体４”’の開口部６”’内に留まらせることができるものとなる。
従って、容器本体４”’の開口部６”’より抜出する塗布体は、容器本体４”’の開口部６”’内に留まったシゴキ７”’によりその軸部（図示せず、以下本実施例で同じ。）及び塗布部（図示せず、以下本実施例で同じ。）に付着する余分な液状化粧料を適切に扱かれるものとなる。
【００３７】
さらに、本願発明の実施例４であるシゴキ７”’は、中胴部８”’と漏斗部８ｂ”’とを別体とすることで漏斗部８ｂ”’における材質を選択して弾性を自在に変化させることができるので、液状化粧料の性質や塗布体の形状にあわせて適切に余分に付着した液状化粧料を適切に扱くことができるようになる。
【符号の説明】
【００３８】
１    液状化粧料容器
２    キャップ
２ａ    雌ネジ部
３    塗布体
３ａ    塗布部
３ｂ    軸部
３ｃ    径大部
４、４’、４”、４”’    容器本体
５    液状化粧料
６、６’、６”、６”’    開口部
６ａ、６ａ’、６ａ”、６ａ”’    雄ネジ部
６ｂ、６ｂ”    ローレット
７、７’、７”、７”’    シゴキ
８、８’、８”、８”’    中胴部
８ａ、８ａ’、８ａ”、８ａ”’    フランジ部
８ｂ、８ｂ’、８ｂ”、８ｂ”’    漏斗部
８ｃ、８ｃ’、８ｃ”、８ｃ”’    シゴキ穴
８ｄ、８ｄ”    ローレット
９    突条縁
１０    凹条溝
１１、１１’、１１”、１１”’    開口部内周面
１１ａ”  正１２角形状面    
１２、１２’、１２”、１２”’    中胴部外周面
１２ａ”  正１２角形状面    
１３    係止溝
１４    係止縁
【図１】
2018033555.tif 000003
【図２】
2018033555.tif 000004
【図３】
2018033555.tif 000005
【図４】
2018033555.tif 000006
【図５】
2018033555.tif 000007
【図６】
2018033555.tif 000008